(57)【要約】【課題】軒樋に溜まった枯葉等のごみが雨水と共に流れても、竪樋に流入して詰まることを防止すると共に、軒樋と竪樋との交差部の上方が閉塞されることも防止し、軒樋に集められた雨水が枯葉等のごみと共に流れても、雨水のみを竪樋を経由して排水させることができる被覆冶具を提供する。【解決手段】水平方向に設置されている軒樋６０と、垂直方向に設置されている竪樋７０との交差部８０の上方に取付けられ、軒樋６０に溜まった枯葉等のごみが雨水と共に竪樋７０に流入するのを防止する被覆冶具であって、本体部１０と複数の脚部５０を備え、本体部１０は、中央２２が外側に膨らんでいる上面２０及び脚部５０が突設されている底面３０と上面２０とに挟まれた周面４０にごみ避け網２４を取着させた。【選択図】図１
0003139193.tif 000002
【実用新案登録請求の範囲】
【請求項１】
水平方向に設置されている軒樋と、垂直方向に設置されている竪樋との交差部の上方に取付けられ、前記軒樋に溜まった枯葉等のごみが雨水と共に前記竪樋に流入するのを防止する被覆冶具であって、
本体部と複数の脚部を備え、前記本体部は、中央が外側に膨らんでいる上面及び前記脚部が突設されている底面と前記上面とに挟まれた周面にごみ避け網が取着されていることを特徴とする被覆冶具。
【請求項２】
前記本体部の底面から上面の頂部までの高さが軒樋の断面高さより高いことを特徴とする請求項１に記載の被覆冶具。
【請求項３】
前記周面に取着されているごみ避け網が前記底面の枠部より脚部側に連設されていることを特徴とする請求項１若しくは２に記載の被覆冶具。
【請求項４】
前記脚部の材質が自在に屈曲可能で腐食しにくい材質であることを特徴とする請求項１乃至３のいずれかに記載の被覆冶具。
【考案の詳細な説明】
【技術分野】
【０００１】
本考案は、軒樋と竪樋との交差部の上方に取付けられ、軒樋に溜まった枯葉等のごみが雨水と共に竪樋に流入するのを防止する被覆冶具に関する。
【背景技術】
【０００２】
軒樋は水平に設置され上方に向かって開放されているので枯葉等のごみが溜まり易く、軒樋を流れる雨水と共に溜まった枯葉等のごみが竪樋に流入して詰まり、竪樋の流れを悪くさせていた。そのため竪樋を経由して軒樋に集められた雨水を排水することができず、軒樋の周縁部から雨水が溢れ出て、軒下を水浸しにするとの不都合を生じさせていた。また、竪樋は筒状であり軒先から地表まで縦方向に長く伸びているので、枯葉等のごみが一度詰まると除去するには、竪樋を取り外して清掃するか、若しくは竪樋を叩いて振動を与えて流れるようにする必要があり、その作業に手間が掛るとの不都合を生じていた。
【０００３】
従来、かかる不都合を解決するため、軒樋の底部に形設されている落とし口と竪樋の上側先端部との交差部にごみ避け網を載置することが行われていた。これにより竪樋に枯葉等のごみが流入して詰まり、竪樋の流れを悪くすることを防止できるので、清掃する作業等に手間が掛る不都合は解決された。しかし、ごみ避け網が交差部である軒樋の底部に形設されている落とし口に平面状に載置されるので、軒樋を雨水と共に流れる枯葉等のごみがごみ避け網の上面に堆積し落とし口の上方を閉塞し、軒樋に集められた雨水が竪樋を経由して排水されず、軒樋の周縁部から雨水が溢れ出て、軒下を水浸しにするという不都合は解決されなかった。
【０００４】
また、軒樋に枯葉が堆積するのを防止する目的で、軒樋に螺旋状の冶具を長手方向に載置し、枯葉が堆積するのを防止することも行われている。しかしこの場合においても、冶具の上に一部分でも枯葉が堆積し軒樋の上方を閉塞すると、軒樋に集められる雨水がその部分では周縁部から溢れ出て軒下を水浸しにすると共に、螺旋状の金具を通って軒樋の底部に堆積した枯葉等のごみを除去するには金具を一旦撤去する必要があり、作業に手間が掛るという不都合があり、上述の不具合に対する十分な解決策とはならなかった。
【考案の開示】
【考案が解決しようとする課題】
【０００５】
本考案は、上述の不具合を解決するためになされたものであって、その目的とするところは、軒樋に溜まった枯葉等のごみが雨水と共に流れても、竪樋に流入して詰まることを防止すると共に、軒樋と竪樋との交差部の上方が閉塞されることも防止し、軒樋に集められた雨水が枯葉等のごみと共に流れても、雨水のみを竪樋を経由して排水させることができる被覆冶具を提供することである。
【課題を解決するための手段】
【０００６】
上記目的を達成するため、本考案の請求項１に係る被覆冶具は、水平方向に設置されている軒樋と、垂直方向に設置されている竪樋との交差部の上方に取付けられ、前記軒樋に溜まった枯葉等のごみが雨水と共に前記竪樋に流入するのを防止する被覆冶具であって、本体部と複数の脚部を備え、前記本体部は、中央が外側に膨らんでいる上面及び前記脚部が突設されている底面と前記上面とに挟まれた周面にごみ避け網が取着されていることを特徴とするものである。
【０００７】
また、本考案の請求項２に係る被覆冶具は、請求項１に記載の被覆冶具であって、前記本体部の底面から上面の頂部までの高さが軒樋の断面高さより高いことを特徴とするものである。
【０００８】
また、本考案の請求項３に係る被覆冶具は、請求項１若しくは２に記載の被覆冶具であって、前記周面に取着されているごみ避け網が前記底面の枠部より脚部側に連設されていることを特徴とするものである。
【０００９】
また、本考案の請求項４に係る被覆冶具は、請求項１乃至３のいずれかに記載の被覆冶具であって、前記脚部の材質が自在に屈曲可能で腐食しにくい材質であることを特徴とするものである。
【考案の効果】
【００１０】
本考案は、以下の効果を奏する。
【００１１】
すなわち、上記構成を備えた被覆冶具は、軒樋と竪樋との交差部の上方に取付けられ、本体部は上面及び周面にごみ避け網が取着されているので、軒樋に溜まった枯葉等のごみが雨水と共に流されてきても堰き止めることができ、竪樋に枯葉等のごみが流入し詰まらせるのを防止することができる。しかも、枯葉等のごみが被覆冶具の上面に堆積しても、上面は中央が外側に膨らんでいるので、堆積した枯葉等のごみが降雨等により流されて交差部の上方が閉塞されるのを防止し、軒樋に集められた雨水のみを竪樋を経由して排水することができ、軒樋の周縁部から雨水が溢れ出て、軒下を水浸しにすることを防止することができる。
【００１２】
更に、本体部の底面から上面の頂部までの高さが軒樋の断面高さより高いときは、雨水と共に流れる枯葉等のごみは、上面の全面に堆積することがなく、常に本体部の上面を開放した状態としておくことができる。
【００１３】
また、周面に取着されているごみ避け網が底面の枠部より脚部側に連設されているときは、連設部を外側に向けて折り曲げ軒樋の底部に沿わせることができ、本体部の底面の枠部の隙間から枯葉等のごみが侵入するのを防止することができる。
【００１４】
また、脚部の材質が自在に屈曲可能で腐食しにくい材質であるときは、脚部を手の力で容易に変形させることができるので、交差部である軒樋の底部に形設されている落とし口の形状に合わせて、取り付け時にその場で変形させて嵌挿させることができ、被覆冶具が雨水により流されたり倒されたりするのを防止することができる。
【考案を実施するための最良の形態】
【００１５】
つぎに本考案の実施形態を図面にしたがって説明する。
【００１６】
第１実施形態：
図１は、本発明に係る第１実施形態の被覆冶具の斜視図であり、図２は、その被覆冶具を水平方向に設置されている軒樋と垂直方向に設置されている竪樋との交差部の上方に取付けた状態を示す垂直方向の断面図である。
【００１７】
図１に示す通り、被覆冶具１は、本体部１０と脚部５０とを備えている。
【００１８】
本体部１０は、上面２０と、底面３０と、周面４０とを備えている。
【００１９】
上面２０の周囲の枠部２１は、形状が円形であって、自在に屈曲可能で腐食しにくい材質である、銅線で成形されている。その枠部２１から中央２２に向かって外側に膨らんだ円弧上の形状をした、枠部２１と同じ材質である銅線で成形された４本の骨部２３が、９０度間隔で放射形状に中央２２の頂部２５で交差している。枠部２１と骨部２３とで形成された凸面を覆うようにアルミニウムで成形されたごみ避け網２４が取着されていている。
【００２０】
底面３０の周囲の枠部３１は、形状が円形であって、上面２０の枠部２１と同じ材質である銅線で成形されている。
【００２１】
上面２０の枠部２１と底面３０の枠部３１とに挟まれた周面４０には、上述の上面２０の骨部２３が底面３０の枠部３１にまで延設されて骨部４１として形成されていて、この骨部４１を覆うようにアルミニウムで成形されたごみ避け網２４が取着されている。
【００２２】
図２に示す通り、本体部１０の底面３０から上面２０の頂部２５までの高さｈ１は、軒樋６０の底部６１から周縁部６２までの断面高さｈ２より、高くなっている。
【００２３】
脚部５０は、周面４０の骨部４１が上面２０と反対方向に延設されたものであって、周面４０の骨部４１と同数の４本が底面３０に突設されている。尚、脚部は、周面４０の骨部４１の４本が全て延設されていなく、２本以上延設されていればよい。
【００２４】
以上の通り、上記構成を備えた本考案に係る被覆冶具１は、水平方向に設置され上方が開放されている軒樋６０の底部６１に形設されている落とし口６３と、垂直方向に設置されている筒状の竪樋７０の上側先端部７１との交差部８０に取付けられる。このときに、脚部５０が銅線で成形されているので、交差部８０の形状に合わせて脚部５０を手で容易に変形させて嵌合させることができ、軒樋６０を流れる雨水により被覆冶具１が流されたり倒されたりすることを防止することが可能となる。
【００２５】
また、軒樋６０に雨水と共に流れてくる枯葉等のごみは、上面２０と周面４０とに取着されているごみ避け網２４で堰き止めることができ、竪樋７０の内部が枯葉等のごみで詰まることを防止することが可能となる。しかも上面２０は、中央２２が外側に膨らんでいるので、上面２０に堆積した枯葉等のごみは雨水によって流すことができ、被覆冶具１が枯葉等のごみで覆われ、交差部８０の上方が閉塞されることを防止することが可能となる。更に、軒樋７０の清掃は、被覆冶具１を取外して行うだけなので、作業に手間を掛けずに容易に行うことが可能となる。
【００２６】
しかも、本体部１０の底面３０から上面２０の頂部２５までの高さｈ１が軒樋６０の底部６１から周縁部６２までの断面高さｈ２より高いと、軒樋６０の中を雨水が満水の状態で流れても上面２０の一部は常に雨水より突出した状態となり、雨水と共に流れてきた枯葉等のゴミは上面２０の全面で堰き止められることがなく、上面２０の一部は常に開放された状態となるので、雨水を常に竪樋７０を経由して排水することが可能となる。
【００２７】
第２実施形態：
図３は、本発明に係る第２実施形態の被覆冶具である。第２実施形態の被覆冶具１は、第１実施形態と構成を共通にする部分を有するので、共通する部分の説明を省略し、異なる部分についてのみ説明する。
【００２８】
第２実施形態の被覆冶具１は、第１実施形態の被覆冶具１と異なり、上面２０の枠部２１及び底面３０の枠部３１は、形状が矩形である。
【００２９】
更に、周面４０に取着されているごみ避け網２４が、底面３０の枠部３１より脚部５０側に連設され、延伸部４２を対向方向に２面形成している。
【００３０】
上記構成の被覆冶具１を軒樋６０と竪樋７０の交差部に取付ける場合、延伸部４２が形成されている面を軒樋６０の長手方向と直角に交差する面となるよう取付け、しかも延伸部４２を軒樋６０の底部６１に沿うように略直角に外側に向けて折り曲げて取付ける。
【００３１】
したがって、第２実施形態の被覆冶具１は、延伸部４２を取付け時に外側に略直角になるように屈折させ、軒樋６０の長手方向に沿って取付けられるので、軒樋６０を流れてくる雨水により倒されるのをより一層防止することが可能となる。しかも、長手方向に伸びているので、雨水と共に流れてくる枯葉等のごみが底面３０の枠部３１と軒樋６０の底部６１との隙間から侵入するのも防止することが可能となる。尚、その他については、第１実施形態と構成が同じであるので、同じ作用効果を奏する。
【００３２】
なお、本実施形態においては、軒樋６０と竪樋７０との交差部８０が直接結合されている場合について説明したが、軒樋６０と竪樋７０がドレン等により結合されている場合にも適用できることは、言うまでもない。
【図面の簡単な説明】
【００３３】
【図１】本考案の第１実施形態に係る被覆冶具の斜視図である。
【図２】本考案の第１実施形態の被覆冶具を取り付けた状態を示す断面図である。
【図３】本考案の第２実施形態に係る被覆冶具の斜視図である。
【符号の説明】
【００３４】
１          被覆冶具
１０        本体部
２０        上面
２１，３１  枠部
２２        中央
２３，４１  骨部
２４        ごみ避け網
２５        頂部
３０        底面
４０        周面
４２        延伸部
５０        脚部
６０        軒樋
６１        底部
６２        周縁部
６３        落とし口
７０        竪樋
７１        上側先端部
８０        交差部
ｈ１，ｈ２  高さ
【図１】
0003139193.tif 000003
【図２】
0003139193.tif 000004
【図３】
0003139193.tif 000005